(57)【要約】【課題】排水を可能とし、施工性及び安全性に優れた車止めを提供する。【解決手段】車止め本体と、支持部とを備え、車止め本体は、水平方向に延びる棒状をなし、少なくとも二つの支持部の上面に架設され、支持部は、設置面と車止め本体との間に配置され、底面にアンカー用ボルトを取り付けるための孔が設けてあり、前面は車止め本体の前側端部又は前側端部より後方の位置において起立し、背面は下方へ向かうにつれて後方へ広がる傾斜面である。【選択図】      図１
2019035199.tif 000002
【特許請求の範囲】
【請求項１】
車止め本体と、支持部とを備え、
車止め本体は、水平方向に延びる棒状をなし、少なくとも二つの支持部の上面に架設され、
支持部は、設置面と車止め本体との間に配置され、底面にアンカー用ボルトを取り付けるための孔が設けてあり、前面は車止め本体の前側端部又は前側端部より後方の位置において起立し、背面は下方へ向かうにつれて後方へ広がる傾斜面であることを特徴とする車止め。
【請求項２】
前記アンカー用ボルトは、車止めを設置した状態で設置面から上部は前記支持部に覆われて外部から視認されないことを特徴とする請求項１に記載の車止め。
【請求項３】
前記車止め本体は、長手方向両端部に反射部材を備え、反射部材の側面部は外側に向けて膨出させた凸面状であることを特徴とする請求項１又は２に記載の車止め。
【発明の詳細な説明】
【技術分野】
【０００１】
本発明は、駐車場に設置される車止めに関するものである。
【背景技術】
【０００２】
従来、駐車場に設置される車止めは、コンクリートブロックを用いたものが主流であった。このような車止めは、コンクリートブロックにアンカーボルトの挿通孔を設けてあり、コンクリートブロックを設置面へ接着させた上で、アンカーボルトを挿通させる等の方法によって施工される。
【先行技術文献】
【特許文献】
【０００３】
【特許文献１】特開平１１−１５９１８２号公報
【発明の概要】
【発明が解決しようとする課題】
【０００４】
このような従来の車止めは、本体部分の底面が直接設置面へ接着されるため、雨水等を堰き止め、水溜りを生じてしまうという問題があった。また、コンクリートブロックは重く、運搬や設置の際に作業者への負担が大きかった。そして、アンカーボルトがコンクリートブロックから露出している部分は、経年劣化によって錆が生じるなどして、外観を大きく損なうとともに、安全性を損なうおそれがあった。
【０００５】
本発明は上記課題を鑑みてなされたものであり、排水を可能とし、施工性及び安全性に優れた車止めを提供することを目的とする。
【課題を解決するための手段】
【０００６】
本発明の車止めは、車止め本体と、支持部とを備え、車止め本体は、水平方向に延びる棒状をなし、少なくとも二つの支持部の上面に架設され、支持部は、設置面と車止め本体との間に配置され、底面にアンカー用ボルトを取り付けるための孔が設けてあり、前面は車止め本体の前側端部又は前側端部より後方の位置において起立し、背面は下方へ向かうにつれて後方へ広がる傾斜面であることを特徴とする。
【０００７】
前記アンカー用ボルトは、車止めを設置した状態で設置面から上部は前記支持部に覆われて外部から視認されないことが望ましい。
【０００８】
また、前記車止め本体は、長手方向両端部に反射部材を備え、反射部材の側面は外側に向けて膨出させた凸面状であることが望ましい。
【発明の効果】
【０００９】
本発明による車止めによれば、車止め本体は、設置面から間隔をあけて支持部の上面に配置されるため、車止め本体と設置面との間から排水可能である。また、支持部の前面は車止め本体の前側端部又は前側端部より後方の位置において起立するため、人が車を乗り降りする際や、通行する際に支持部に躓くおそれがなく、さらに、支持部は、背面が下方へ向かうにつれて後方へ広がる傾斜面であるため、強度に優れる。そして、支持部底面に取り付けたアンカー用ボルトを、設置面に設けた穴に差し込むことによって設置可能であるため、施工性が良い。
【００１０】
アンカー用ボルトは車止めを設置した状態で設置面から上部が支持部に覆われて外部から視認されない構成とすれば、劣化しにくく、安全性及び意匠性が高い。
また、車止め本体の長手方向両端部に反射部材を備え、反射部材の側面は外側に向けて膨出させた凸面状とすれば、車のテールランプやヘッドライトによって反射するため、夜間でも運転者が車止めの位置を視認しやすい。
【図面の簡単な説明】
【００１１】
【図１】車止めの斜視図である。
【図２】車止めを示し、（ａ）は正面図、（ｂ）は平面図である。
【図３】車止めの側面図である。
【発明を実施するための形態】
【００１２】
以下、本発明の車止めの実施形態を図面に基づいて説明する。なお、以下の説明において、前後方向は図２（ｂ）における上下方向である。
図１及び図４に示すように、本実施による車止めは、車止め本体１と、二つの支持部２，２によって構成され、支持部２に固定したアンカー用ボルトＡを設置面Ｇに設けた孔に差し込んで固定することによって設置され、前側に駐車される。なお、本実施形態では左右の車輪にそれぞれ対向するよう、車一台につき二つの車止めを設置することを想定してある。
【００１３】
車止め本体１は、棒状であり、水平方向に延びるように配置される。車止め本体１は、少なくとも二つの支持部２，２の上面に架設され、設置面Ｇから離れた上面に配置される。車止め本体１は、棒状であれば横断面の形状は問わないが、本実施形態のように、円筒状のものを用いても良い。また、車止め本体１は、材質は特に限定されないが、高純度アルミニウム等の金属製であることが望ましい。
【００１４】
車止め本体１の長手方向両端部には、それぞれ反射部材４，４を取り付けてある。図２及び図３に示すように、本実施形態において反射部材４は、車止め本体１の外壁に沿った円筒状の周壁部４ａと、側面部４ｂから構成されており、光を反射可能な表面処理が施されている。例えば、クリア焼付塗装によって金属光沢を有し、周壁部４ａにはローレット加工が施されている。また、反射部材の側面部４ｂは外側に向けて膨出させた凸面状としてある。反射部材４は、光を反射して車止めの視認性を高める他に、車止め本体１の端部カバーの役割を担う。
【００１５】
支持部２は、設置面Ｇと車止め本体１との間に設置してあり、少なくとも二つの支持部２，２が上面に車止め本体１を掛け渡して支持する。大きさは限定されないが、車止め本体１に対して小さな支持部２を用いることができる。例えば、車止め本体１の横寸法を約６００ｍｍとすると、支持部２はその約１０分の１に当たる約６０ｍｍの横寸法のものを使用することが可能である。また、車止めの縦寸法は約９５ｍｍと、非常にコンパクトなものである。支持部２の材質は特に限定されないが、金属製であることが望ましく、例えば高純度アルミニウムの鋳造品を用いることができる。図３に示すように、支持部２の上面２ａは車止め本体１の外周に沿う凹部が形成してある。底面２ｄの略中央部には、アンカー用ボルトＡを取り付けるための孔３が設けてある。前面２ｂは、車止め本体１の前側端部又は前側端部より後方の位置において起立し、下方へ向かうにつれて後方へ僅かに傾斜させてある。背面２ｃは下方へ向かうにつれて後方へ広がる傾斜面である。
【００１６】
次に、この車止めの施工方法について説明する。
まず、アンカー用ボルトＡを支持部２の底面２ｄに設けた孔３に挿入して取り付ける。設置面Ｇにアンカー用ボルトＡの位置を罫書く。罫書いた位置に設置孔をあけ、接着剤を設置孔と支持部２の設置面に塗付する。設置孔にアンカー用ボルトＡを挿し、車止め本体１を傷つけないよう垂木等で保護しながら叩いてアンカー用ボルトＡを打ち込む。車止めを設置した状態で、アンカー用ボルトＡは、設置面Ｇから上部が支持部２に覆われて外部から視認されない。
【００１７】
このように構成した車止めによれば、雨水等は車止め本体１の下方を潜り抜けて排水されるため、車止め本体１が雨水を堰き止めて周辺に水溜りが発生するおそれがない。
反射部材４の側面部４ｂは外側に向けて膨出させた凸面状とすれば、車のテールランプやヘッドライトによって反射するため、夜間でも運転者が車止めの位置を視認しやすい。
車止め本体１を円筒状とすれば、車の車輪が車止め本体１に接触し、さらに前進又は後退した場合であっても、車輪は車止め本体１の表面において空回りするので、車止め本体１に乗り上げるおそれがない。また、車止め本体１及び支持部２を金属製とすれば、金属特有の光沢が意匠性を高め、施工性も良く、製造コストを抑えることができる。
また、支持部２の前面２ｂは車止め本体１の前側端部又は前側端部より後方の位置において起立するため、人が車を乗り降りする際や、通行する際に支持部２に妨げとならない。さらに支持部２は、背面２ｃが下方へ向かうにつれて後方へ広がる傾斜面であるため、車止め本体１の横寸法に対して例えば約１０分の１の、コンパクトな支持部２を用いても強度に優れ、車止め本体１全体でしっかりと車輪を受け止めることができる。
アンカー用ボルトＡは、車止めを設置した状態で設置面から上部は支持部２に覆われて外部から視認されないため、劣化しにくく、安全性及び意匠性が高い。
【００１８】
本発明は、上記の実施形態に限定されない。例えば、本実施形態は左右の車輪にそれぞれ対向するよう、車一台につき二つの車止めを設置することを想定して設計してあるが、駐車場の広さや車の種類、大きさによって、車止めの寸法は適宜決定することができる。
【符号の説明】
【００１９】
１    車止め本体
２    支持部
２ａ  上面
２ｂ  前面
２ｃ  背面
２ｄ  底面
３    孔
４    反射部材
４ａ  周壁部
４ｂ  側面部
Ａ    アンカー用ボルト
Ｇ    設置面
【図１】
2019035199.tif 000003
【図２】
2019035199.tif 000004
【図３】
2019035199.tif 000005